(57)【要約】【課題】高齢者であっても簡単に所望の機能を実現させることが可能な情報端末機器を提供する。【解決手段】タッチパネルディスプレイ１１と、画面１１ａに接触しているユーザの人体の一部分の特徴である人体情報を取得する情報取得部１１と、ユーザが所望する機能を実現する一連の指令と、情報取得部により取得された人体情報とを対応付けて予め登録する登録部１４と、ユーザが人体の一部分を画面１１ａに接触させているときに、情報取得部１１により取得された人体情報と登録部１４に登録されている人体情報とが一致することを条件として、ユーザを認証する認証部１３と、認証部１３によりユーザが認証されているときに、認証部１３が認証に用いた人体情報と対応付けて登録部１４に登録されている一連の指令を実行する実行部１３と、を備える。【選択図】      図１
2015115042.tif 000002
【特許請求の範囲】
【請求項１】
タッチパネルディスプレイ（１１）と、
前記タッチパネルディスプレイの画面（１１ａ）に接触しているユーザの人体の一部分の特徴である人体情報を取得する情報取得部（１１，１３）と、
前記ユーザが所望する機能を実現する一連の指令と、前記情報取得部により取得された前記人体情報とを対応付けて予め登録する登録部（１３，１４）と、
前記ユーザが人体の一部分を前記画面に接触させているときに、前記情報取得部により取得された前記人体情報と前記登録部に登録されている前記人体情報とが一致することを条件として、前記ユーザを認証する認証部（１３）と、
前記認証部により前記ユーザが認証されているときに、前記認証部が認証に用いた前記人体情報と対応付けて前記登録部に登録されている前記一連の指令を実行する実行部（１３）と、を備えることを特徴とする情報端末機器。
【請求項２】
前記登録部は、一人のユーザに対して、前記ユーザが所望する機能を実現する複数の前記一連の指令と、前記情報取得部により都度取得された前記人体情報とをそれぞれ対応付けて予め登録できる請求項１に記載の情報端末機器。
【請求項３】
前記実行部により前記一連の指令を実行する過程において、前記所望する機能に対応して遷移する画像を前記画面に表示させる表示制御部（１３）を備える請求項１又は２に記載の情報端末機器。
【請求項４】
前記表示制御部は、前記画像の遷移中に前記ユーザの人体の一部分が前記画面から離れた場合には、前記画像の遷移を止めて、１つ前の前記画像を前記画面に表示させる請求項３に記載の情報端末機器。
【請求項５】
前記実行部は、前記表示制御部により前記画像の遷移が止められた後、通常の入力操作に応じた指令を実行する請求項４に記載の情報端末機器。
【請求項６】
前記登録部は、一人のユーザに対して、前記ユーザが所望する機能を実現する複数の前記一連の指令と、前記情報取得部により都度取得された前記人体情報とをそれぞれ対応付けて予め登録することができ、
前記実行部は、前記表示制御部により前記画像の遷移が止められた後、前記認証部により前記画像の遷移中と異なる前記人体情報を用いて前記遷移が止められる前のユーザと同一のユーザが認証された場合には、前記画像の遷移中と異なる前記人体情報と対応付けて前記登録部に登録されている前記一連の指令を実行する請求項４に記載の情報端末機器。
【請求項７】
前記表示制御部は、前記ユーザの人体の一部分が前記画面を押す力に応じて、前記画像の遷移速度を変化させる請求項３〜６のいずれかに記載の情報端末機器。
【請求項８】
請求項１〜７のいずれかに記載の情報端末機器である第１情報端末機器（１０）と、第２情報端末機器（２０）とを備える情報端末機器システムであって、
前記第１情報端末機器は、
前記タッチパネルディスプレイに重畳された第１透明電極（１２）と、
前記第１透明電極を介して前記第２情報端末機器と通信する第１通信部（１５）と、を備え、
前記第２情報端末機器は、
第２タッチパネルディスプレイ（２１）と、
前記第２タッチパネルディスプレイに重畳された第２透明電極（２２）と、
前記第１情報端末機器を所持しているユーザが人体の一部分を前記第２透明電極に接触させているときに、前記第１通信部により送信された前記登録部に登録されている前記一連の指令及び前記一連の指令に対応する前記人体情報を、前記第１透明電極、前記人体及び前記第２透明電極を介して受信する前記第２通信部（２５）と、
前記第２透明電極に接触しているユーザの人体の一部分の特徴である人体情報を取得する第２情報取得部と（２１，２３）、
前記ユーザが人体の一部分を前記第２透明電極に接触させているときに、前記第２情報取得部により取得された前記人体情報と前記第２通信部により受信された前記人体情報とが一致することを条件として、前記ユーザを認証する第２認証部（２３）と、
前記第２認証部により前記ユーザが認証されているときに、前記第２通信部により受信された前記一連の指令のうち、前記第２認証部が認証に用いた前記人体情報と対応付けられている前記一連の指令を実行する第２実行部（２３）と、を備えることを特徴とする情報端末機器システム。
【請求項９】
前記第２情報端末機器は、前記第２通信部により受信された前記一連の指令を、自端末機器に対応する一連の指令に変換する変換部（２３）を備え、
前記第２実行部は、前記変換部により変換された前記一連の指令を実行する請求項８に記載の情報端末機器システム。
【請求項１０】
前記第２情報端末機器は、前記第２通信部により受信された前記一連の指令に対応する一連の指令が自端末機器にない場合に、前記ユーザが所望する機能を実現できない旨を通知する通知部（２１，２３）を備える請求項８又は９に記載の情報端末機器システム。
【発明の詳細な説明】
【技術分野】
【０００１】
本発明は、タッチパネルディスプレイを備えた情報端末機器、及び情報端末機器システムに関する。
【背景技術】
【０００２】
近年、キーボードと表示装置を備える情報端末機器から、入力装置と表示装置とが一体となったタッチパネルディスプレイを供える情報端末機器へ変わりつつあるが、適応力が低下している高齢者には、このような変化に対応できない者も多い。今後、このような機器の変化に対応できない者とできる者との間に、デジタルデバイドが生じることが懸念される。そのため、高齢者に対応した情報端末機器が提案されている。
【０００３】
例えば特許文献１では、ユーザの個人特性に合わせて、タッチパネルディスプレイ上に表示する画面のレイアウト、ボタンアイコンの大きさ、画面の色等を調整している。これにより、色識別能力の低下した高齢者でも入力操作がしやすくなっている。
【先行技術文献】
【特許文献】
【０００４】
【特許文献１】特開２００６−３１８０６７号公報
【発明の概要】
【発明が解決しようとする課題】
【０００５】
特許文献１は、高齢者でも入力操作をしやすいようにしているが、情報端末機器に所望の機能を実現させるために必要な入力操作は、高齢者でもそれ以外のユーザでも同じである。それゆえ、記憶力が低下している高齢者は、必要な入力操作を覚えられず、所望の機能を実現させることができないおそれがある。また、適応力が低下している高齢者は、不安を感じて使用することを諦めてしまうおそれがある。
【０００６】
本発明は、上記実情に鑑み、高齢者であっても簡単に所望の機能を実現させることが可能な情報端末機器を提供することを主たる目的とする。
【課題を解決するための手段】
【０００７】
上記課題を解決するため、本発明は情報端末機器であって、タッチパネルディスプレイと、前記タッチパネルディスプレイの画面に接触しているユーザの人体の一部分の特徴である人体情報を取得する情報取得部と、前記ユーザが所望する機能を実現する一連の指令と、前記情報取得部により取得された前記人体情報とを対応付けて予め登録する登録部と、前記ユーザが人体の一部分を前記画面に接触させているときに、前記情報取得部により取得された前記人体情報と前記登録部に登録されている前記人体情報とが一致することを条件として、前記ユーザを認証する認証部と、前記認証部により前記ユーザが認証されているときに、前記認証部が認証に用いた前記人体情報と対応付けて前記登録部に登録されている前記一連の指令を実行する実行部と、を備える。
【０００８】
本発明によれば、ユーザが所望する機能を実現する一連の指令と、ユーザの人体の一部分の特徴である人体情報とが対応付けられて、予め登録部に登録される。そして、ユーザが人体の一部分をタッチパネルディスプレイの画面に接触させると、接触している人体の一部分の特徴である人体情報が取得される。さらに、取得された人体情報と対応付けられて予め登録されている一連の指令が実行される。よって、ユーザは、人体の一部分をタッチパネルディスプレイの画面に接触させるだけで、接触させた人体の一部分と対応する機能を実現させることができる。したがって、記憶力の低下している高齢者であっても、記憶すべき情報を最小限にできるとともに、簡単に所望の機能を実現させることができる。なお、所望する機能を実現する一連の指令と人体情報とを対応付けて予め登録する際は、操作方法を調べたり、教えてもらったりして登録すればよいので、高齢者でも登録できる。
【０００９】
また、取得された人体情報を用いてユーザ認証が常時行われつつ、取得された人体情報に対応する一連の指令が実行されるため、セキュリティを向上させることができるとともに、ユーザに安心感を与えることができる。
【図面の簡単な説明】
【００１０】
【図１】第１実施形態に係る情報端末機器の構成を示すブロック図。
【図２】ユーザの所望の機能及び人体情報を登録する様子を示す図。
【図３】ユーザが所望の機能を実現する様子を示す図。
【図４】登録されている機能を実現する処理手順を示すフローチャート。
【図５】第２実施形態に係る情報端末機器システムの構成を示すブロック図。
【発明を実施するための形態】
【００１１】
（第１実施形態）
以下、情報端末機器を具現化した第１実施形態について、図を参照しつつ説明する。まず、本実施形態に係る情報端末機器１０の構成について、図１を参照して説明する。情報端末機器１０（第１情報端末機器）は、タッチパネルディスプレイ１１、透明電極１２（第１透明電極）、制御装置１３、記憶装置１４、及び通信装置１５（第１通信部）を備える。
【００１２】
タッチパネルディスプレイ１１は、液晶パネルや有機ＥＬ（Electro-Luminescence）パネルからなる表示面と、表示面上に配置された透明なタッチパネルと、表示画面とタッチパネルとの間に搭載されたタッチセンサ及び人体センサとを含む。タッチパネルディスプレイ１１の表示面、及び表示面に重畳された透明電極１２から画面１１ａが構成される。
【００１３】
タッチセンサは、画面１１ａ上で指等の人体の一部分が接触している位置及び面積を検出し、接触位置及び面積に応じた検出信号を制御装置１３へ送信する。タッチセンサは、マルチタッチセンサであり、画面１１ａ上の複数のポイントに複数の指が同時に接触している場合でも、それぞれの接触位置及び面積を検出できる。タッチセンサとしては、静電容量センサ、感圧センサ、赤外線センサ等を適用できる。
【００１４】
人体センサは、画面１１ａに接触している人体の一部分の人体情報、例えば指紋や掌紋、指や掌の静脈パターンを検出する指紋検出センサや静脈検出センサ等である。指紋も静脈パターンも、ユーザごとに異なるものであるから、ユーザの認証に用いることができる。なお、タッチセンサと人体センサは同じセンサを兼用できる場合は兼用してもよい。
【００１５】
制御装置１３は、ＣＰＵ、ＲＡＭ、ＲＯＭ、及びＩ／Ｏ等を備えて構成されたコンピュータであり、情報端末機器１０の各種制御を行う。記憶装置１４は、ハードディスクや着脱可能な記録媒体から構成される。着脱可能な記録媒体としては、ＣＤ−ＲＯＭ、ＤＶＤ−ＲＯＭ、ＵＳＢメモリ、メモリカード等が挙げられる。
【００１６】
透明電極１２は、タッチパネルディスプレイ１１の表面に重畳された透明の電極板であり、光及び電気を通す。透明電極１２は、透明電極１２に接触している人体の一部分とともに、他の情報端末機器との間の人体通信においてデータの伝送路となる。タッチパネルディスプレイ１１と透明電極１２との間に、保護ガラスなどが挿入されていてもよい。通信装置１５は、人体通信やその他の有線無線通信の信号処理を行う。人体通信を用いた情報端末機器システムについては、第２実施形態で説明する。
【００１７】
制御装置１３と記憶装置１４とから登録部が構成され、制御装置１３とタッチパネルディスプレイ１１とから、情報取得部が構成される。また、制御装置１３から認証部、実行部及び表示制御部が構成される。
【００１８】
情報取得部は、タッチパネルディスプレイ１１の画面１１ａに、接触しているユーザの人体の一部分の特徴である人体情報を取得する。
【００１９】
登録部は、ユーザが所望する機能を実現する一連の指令と、情報取得部により取得された人体情報とを対応付けて予め登録する。複数の機能を登録したい場合は、複数の一連の指令と、情報取得部により都度取得された人体情報とをそれぞれ対応付けて予め登録する。例えば、指紋は指ごとに異なるので、３つの機能を登録したい場合は、３つの機能をそれぞれ実現する３つの一連の指令と、親指の指紋、人差し指の指紋、中指の指紋とをそれぞれ対応付けて登録する。また、静脈パターンも指ごとに異なるので、３つの一連の指令と、親指の静脈パターン、人差し指の静脈パターン、中指の静脈パターンとを対応付けて登録してもよい。また、１つの一連の指令と掌紋又は掌の静脈パターンとを対応付けてもよい。
【００２０】
ユーザは、所望する機能を登録したい場合、まず初期画像の登録モード用のアイコンを選択する。そして、ユーザは、初期画像から順次、所望する機能に対応する操作を行う。例えば、写真フォルダを表示させる機能を所望している場合は、初期画像から順次アイコンを選択して画面１１ａに表示される画像を遷移させ、写真フォルダの画像（図３（ｃ）参照）を表示させる。ここでは、説明書を見たり、操作方法を知っている人に教えてもらったりしながら操作すればよい。または、操作方法を知っていて信頼できる人物に、操作してもらってもよい。なお、初期画像から写真フォルダの画像を表示させるまでの連続する操作に対応した連続する指令が、登録される一連の指令となる。
【００２１】
所望の機能に対応する操作を終えた後、そのまま操作指を画面１１ａに接触させていると、あるいはダブルクリックをすると、画面１１ａに図２に示すような人体情報の登録画像が表示される。そこで、ユーザは、実行した操作に対応付けて登録したい指を画面１１ａに接触させて登録し、登録モードを終了する。複数の機能を登録したい場合は、再度初期画面に戻り、登録モードを繰り返し実行する。
【００２２】
また、1本の指ごとに１つの機能を登録する場合には、登録モード用のアイコンを選択した後、人体情報の登録画像を表示させてもよい。この場合、ユーザは、登録したい機能に対応する操作を行う前に、登録したい機能に対応付ける人体情報すなわち1本の指の指紋等を登録する。そして、後述する認証部により、登録した１本の指紋等を用いてユーザの認証が行われている際に、ユーザは、人体情報として登録した1本の指を使って、登録したい機能に対応する操作を行う。ここでは、操作方法を知っていて信頼できる人物に、ユーザの手を取って誘導してもらい、登録したい機能に対応する操作を行ってもよい。
【００２３】
認証部は、生体認証を行う。詳しくは、認証部は、情報取得部により取得された人体情報と、登録部に登録されている人体情報とが一致することを条件として、ユーザを認証する。例えば、３つの一連の指令にそれぞれ対応付けて親指の指紋、人差し指の指紋、及び中指の指紋が登録部に登録されている場合には、登録されているものと同じ親指の指紋、人差し指の指紋、及び中指の指紋のいずれかが情報取得部により取得された場合に限って、認証部はユーザを認証する。すなわち、認証部は、画面１１ａに指を接触させているユーザが、所望の機能を登録したユーザであると認証する。
【００２４】
実行部は、認証部によりユーザが認証されているときに、認証部が認証に用いた人体情報と対応付けて登録部に登録されている一連の指令を実行する。例えば、ユーザが人差し指を画面１１ａに接触させ、認証部が人差し指の指紋を用いてユーザを認証しているときは、実行部は、人差し指の指紋と対応付けて登録部に登録されている一連の指令を実行する。このとき、実行部は、初期画像以外の画像が表示されている画面１１ａに、ユーザが人差し指を接触させた状態にしても、人差し指の指紋と対応付けて登録部に登録されている一連の指令の実行を開始する。また、実行部は、一連の指令の実行中にユーザの人差し指が画面１１ａから離れ、認証部によりユーザが認証されなくなると、一連の指令の実行を中止する。すなわち、実行部は、認証部によりユーザが認証されている状態に限って、認証部が認証に用いた人体情報と対応付けて登録部に登録されている一連の指令を実行する。
【００２５】
表示制御部は、実行部が一連の指令を実行する過程において、ユーザが所望する機能に対応して遷移する画像を画面１１ａに表示させる。例えば、人差し指の指紋に対応付けて、写真フォルダの開く機能が登録されている場合に、ユーザが人差し指で画面１１ａのどこかを所定時間よりも長く押したままにすると、表示制御部は、写真フォルダを開く機能に対応して遷移する画像を画面１１ａに表示させる。詳しくは、表示制御部は、図３（ａ）のメニュー画像、図３（ｂ）のデータフォルダ画像、図３（ｃ）の写真フォルダ画像を、順次画面１１ａに表示させる。これにより、ユーザは、自分が所望する機能が実現されつつある過程を見ることができる。ユーザが人差し指で押す場所は、画面１１ａのどこでもよい。
【００２６】
また、表示制御部は、ユーザの人差し指が画面１１ａを押す力に応じて、画像の遷速度を変化させる。具体的には、画面１１ａを押す力が大きいほど、画像の遷移速度を速くする。ユーザは、画面１１ａを押す力を増減させて、自分に適した遷移速度に調整する。ユーザの人差し指が画面１１ａを押す力が大きいほど、ユーザの人差し指と画面１１ａの接触面積は大きくなるので、画面１１ａを押す力は接触面積として検出される。
【００２７】
なお、図３（ａ）のメニュー画像で、通常操作、例えばメールを選択したい場合は、メールのアイコンを所定時間よりも短い時間押せば、メールを選択できる。すなわち、予め登録されている機能を実現する操作と、通常操作とは、画面１１ａの接触時間で区別すればよい。あるいは、通常操作を行う場合は、登録部に登録していない指で操作してもよい。この場合、登録部には、利き手ではない方の手の人体情報を登録しておくとよい。
【００２８】
写真フォルダを開く機能を登録している場合に、目的の機能の実現が終了し、図３（ｃ）の写真フォルダ画像が画面１１ａに表示された後、ユーザが画面１１ａから指を離すと、表示制御部は、写真フォルダ画像を画面１１ａに表示させたままにする。この後、通常操作に移行する。
【００２９】
一方、表示制御部は、ユーザが所望する機能に対応して画像が遷移する途中で、ユーザの指が画面１１ａから離れた場合には、画像の遷移を止めて、１つ前の画像を画面１１ａに表示させる。例えば、予め写真フォルダ内の２０１３０９０１フォルダを開く機能を登録している場合に、図３（ｃ）の写真フォルダ画像が表示されている時に、ユーザが画面１１ａから指を離すと、画像の遷移中にユーザの指が画面１１ａから離れることになる。この場合、表示制御部は、画像の遷移を止めて、ユーザの指が離れた時よりも１つ前の図３（ｂ）の画像を画面１１ａに表示させる（図３（ｄ））。
【００３０】
この後、通常操作に移行し、実行部は通常の入力操作に応じた指令を実行する。あるいは、認証部により画像の遷移中とは異なる人体情報を用いて、遷移が止められる前のユーザと同じユーザが認証された場合には、実行部は、画像の遷移中とは異なる人体情報と対応付けて登録部に登録されている一連の指令を実行する。例えば、人指し指を画面１１ａに置いて画像が遷移している途中で、画面１１ａ上から人指し指を外して中指を置いた際に、認証部により、中指の指紋を用いて人差し指の指紋のユーザと同じユーザと認証された場合には、実行部は、中指の指紋と対応付けられて登録されている一連の指令を実行する。中指の指紋に対応する一連の指令は、人差し指の指紋に対応する一連の指令に続けて実行する一連の指令でもよいし、人差し指に対応する一連の指令とは無関係の一連の指令でもよい。
【００３１】
次に、予め登録されている機能を実現する処理手順について、図４のフローチャートを参照して説明する。本処理手順は、制御装置１３が繰り返し実行する。なお、本処理手順では、ユーザの所望する機能を実現する一連の指令に対応づけて、ユーザの指紋が予め登録されていることを想定している。
【００３２】
まず、情報端末機器１０の操作を行っているユーザが、認証部により認証されたユーザか否か判定する（Ｓ１０）。認証部により認証されたユーザでない場合は（Ｓ１０：ＮＯ）、通常操作へ移行する。
【００３３】
認証部により認証されたユーザの場合は（Ｓ１０：ＹＥＳ）、ユーザの指が画面１１ａに接触しているか否か判定する（Ｓ１１）。ユーザの指が画面１１ａから離れている場合は（Ｓ１１：ＮＯ）、画像の遷移を１つ戻し、ユーザの指が画面１１ａから離れた時よりも１つ前の画像を画面１１ａに表示させる。その後、通常操作へ移行する。
【００３４】
また、ユーザの指が画面１１ａに接触している場合は（Ｓ１１：ＹＥＳ）、画面１１ａに接触している指が、ユーザが所望する機能を実現する一連の指令と対応付けて登録されている指か否か判定する（Ｓ１３）。画面１１ａに接触している指が、一連の指令と対応付けて登録されている指でない場合は（Ｓ１３：ＮＯ）、通常操作へ移行する。このような場合としては、情報取得部により取得された指紋情報が登録部に登録されていても、指紋に対応する一連の指令が登録部に登録されていない場合がある。
【００３５】
画面１１ａに接触している指が、一連の指令と対応付けて登録されている指の場合は（Ｓ１３：ＹＥＳ）、指紋と対応付けて登録されている一連の指令を実行する（Ｓ１４）。続いて、登録されている一連の指令の実行が完了したか否か判定する（Ｓ１５）。一連の指令の実行が完了していない場合は（Ｓ１５：ＮＯ）、Ｓ１０の処理に戻る。一連の指令の実行が完了している場合は（Ｓ１５：ＹＥＳ）、通常操作へ移行する。
【００３６】
以上説明した第１実施形態によれば、以下の効果を奏する。
【００３７】
・ユーザが所望する機能を実現する一連の指令と、ユーザの人体情報とを対応付けて予め登録することにより、ユーザは、人体の一部分をタッチパネルディスプレイ１１の画面１１ａに接触させるだけで、接触させた人体の一部分と対応する機能を実現させることができる。したがって、記憶力の低下している高齢者であっても、記憶すべき情報を最小限にできるとともに、簡単に所望の機能を実現させることができる。
【００３８】
・取得された人体情報を用いてユーザ認証が常時行われつつ、取得された人体情報に対応する一連の指令が実行されるため、セキュリティを向上させることができるとともに、ユーザに安心感を与えることができる。
【００３９】
・一人のユーザが、複数の人体の一部分に対応させて、複数の一連の指令をそれぞれ登録することができる。したがって、記憶すべき情報を最小限にしつつ、利便性を向上させることができる。
【００４０】
・ユーザの人体情報に対応する一連の指令が実行される過程で、所望する機能に対応して遷移する画像が、タッチパネルディスプレイ１１の画面１１ａに表示される。これにより、ユーザは、自分が所望する機能が実現される過程を見ることができる。したがって、適応力の低下している高齢者でも安心感と自信を持って情報端末機器１０を操作できる。
【００４１】
・画像の遷移中にユーザの人体の一部分がタッチパネルディスプレイ１１の画面１１ａから離れた場合には、画像の遷移を止めることにより、ユーザに自分で制御できる感覚を与えることができる。また、画像の遷移中にユーザの人体の一部分が画面１１ａから離れた場合には、１つ前の画像を表示させることにより、ユーザが記憶にない画像で人体の一部分を離した場合でも、ユーザは直前に見ていた記憶にある画像を見ることができる。さらに、運動機能の低下しているユーザは、止めたいと思ったタイミングよりも人体の一部分を離すタイミングが遅くなることがあるので、１つ前の画像を表示させることにより、ユーザに安心感を与えることができる。よって、適応力や運動機能の低下した高齢者であっても安心感と自信を持って情報端末機器１０を操作できる。
【００４２】
・画面１１ａのどこを押してもよいため、運動機能の低下した高齢者であっても、安心して情報端末機器１０を操作できる。
【００４３】
・画像の遷移中にユーザの記憶にある画像と異なる画像が表示された場合には、ユーザは画面１１ａから人体の一部分を離すことで、１つ前の画像に戻って通常の入力操作を行うことができる。
【００４４】
・予め登録している機能を実現させる途中で中止して又は実現させた後、他の予め登録している機能を実現させることができる。
【００４５】
・ユーザが画像の遷移速度を制御することができる。よって、ユーザは習熟度に応じて画像の遷移速度を調整できるため、利便性を向上させることができる。
【００４６】
（第２実施形態）
次に、情報端末機器システムを具現化した第２実施形態について、図５を参照して説明する。第２実施形態に係る情報端末機器システムでは、情報端末機器１０を所持するユーザが、他の情報端末機器上で、情報端末機器１０の登録部に登録した機能を実現させる。なお、第１実施形態と同一もしくは均等である部分には、図中、同一符号を付しており、同一符号の部分についてはその説明を援用する。
【００４７】
第２実施形態に係る情報端末機器システムは、第１実施形態に係る情報端末機器１０と、情報端末機器２０とを備える。情報端末機器２０（第２情報端末機器）は、情報端末機器１０と同様に、タッチパネルディスプレイ２１（第２タッチパネルディスプレイ）、透明電極２２（第２透明電極）、制御装置２３、記憶装置２４及び通信装置２５（第２通信部）を備える。制御装置２３とタッチパネルディスプレイ２１とから、第２情報取得部及び通知部が構成され、制御装置２３から第２認証部、第２実行部及び変換部が構成される。
【００４８】
情報端末機器１０を人体に接触させて所持したユーザが、透明電極２２に人体の一部分を接触させると、透明電極１２、ユーザの人体及び透明電極２２がデータの伝送路となって、通信装置１５と通信装置２５との間で人体通信が行われる。
【００４９】
まず、情報端末機器１０を所持するユーザが、人体の一部分を透明電極２２に接触させている状態で、情報端末機器２０のメニュー画面で登録データの送信を要求するアイコンを選択する。そうすると、通信装置２５は、透明電極２２、人体及び透明電極１２を介して、送信要求を通信装置１５へ送信する。
【００５０】
送信要求を受信した通信装置１５は、情報端末機器１０を所持するユーザが人体の一部分を透明電極２２に接触させているときに、登録部に登録されている一連の指令及び一連の指令に対応する人体情報を通信装置２５へ送信する。通信装置２５は、通信装置１５により送信された一連の指令及び一連の指令に対応する人体情報を、透明電極１２、人体及び透明電極２２を介して受信する。通信装置２５により受信された一連の指令及び人体情報は、記憶装置２４に記憶される。
【００５１】
第２情報取得部は、透明電極２２に接触しているユーザの人体の一部分の特徴である人体情報を取得する。第２認証部は、情報端末機器１０を所持したユーザが透明電極２２に人体の一部分を接触させているときに、第２情報取得部により取得された人体情報と、通信装置２５により受信された人体情報とが一致することを条件として、ユーザを認証する。すなわち、第２認証部は、透明電極２２に人体の一部を接触させているユーザが、情報端末機器１０の登録部に所望の機能を登録したユーザであると認証する。
【００５２】
変換部は、通信装置２５により受信された一連の指令を、情報端末機器２０に対応する一連の指令に変換する。情報端末機器１０と情報端末機器２０との機種が異なる場合、情報端末機器１０と情報端末機器２０とでは、異なるプログラム言語で指令が書かれていることがある。そのような場合に、変換部は、情報端末機器１０に対応した一連の指令を、情報端末機器２０に対応した一連の指令に変換する。変換された一連の指令は、記憶装置２４に記憶される。
【００５３】
第２実行部は、第２認証部によりユーザが認証されているときに、通信装置２５により受信された一連の指令のうち、第２認証部が認証に用いた人体情報と対応付けられている一連の指令を実行する。このとき、通信装置２５により受信された一連の指令が、変換部により情報端末機器２０に対応した一連の指令に変換されている場合は、変換された一連の指令を実行する。
【００５４】
通知部は、通信装置２５により受信された一連の指令に対応する一連の指令が、自端末機器の記憶装置２４にない場合には、ユーザが所望する機能を実現できない旨を通知する。すなわち、通知部は、第２認証部が認証に用いた人体情報と対応づけられている一連の指令であって、第２実行部が実行可能な一連の指令が記憶装置２４にない場合には、ユーザが所望する機能を実現できない旨を通知する。具体的には、通知部は、タッチパネルディスプレイ２１の画面に、ユーザが所望する機能を実現できない旨を表示させる。あるいは、通知部は、図示しない情報端末機器２０のスピーカから、その旨を音声で通知してもよい。
【００５５】
また、制御装置２３は、制御装置１３と同様に表示制御部を構成してもよい。制御装置２３が表示制御部を構成すれば、情報端末機器２０上で予め登録されている機能を実現させる際に、画像の表示を制御できる。なお、表示制御部の機能を実現するためのプログラムは、一連の指令及び人体情報とともに情報端末機器１０から受信してもよい。
【００５６】
以上説明した第２実施形態によれば、以下の効果を奏する。
【００５７】
・ユーザが人体の一部分を、情報端末機器２０の透明電極２２に接触させているときに、予め登録されている所望の機能を実現する一連の指令及び一連の指令に対応する人体情報が、ユーザが所持する情報端末機器１０から人体通信により送信され、情報端末機器２０により受信される。そして、情報端末機器２０により、透明電極２２に接触している人体の一部分の特徴である人体情報が取得される。さらに、情報端末機器２０により、情報端末機器１０から受信した一連の指令のうち、情報端末機器２０により取得された人体情報と対応づけられている一連の指令が実行される。よって、ユーザは、自身が所持する情報端末機器１０で使用している機能を、情報端末機器２０上で実現させるために、情報端末機器２０の操作方法を新たに覚える必要がない。したがって、記憶力や適応力の低下した高齢者であっても、新しい情報端末機器２０上で簡単に所望の機能を実現させることができる。
【００５８】
・情報端末機器１０から受信された一連の指令が、情報端末機器２０に対応する一連の指令に変換される。そのため、情報端末機器１０と情報端末機器２０とで、同じ機能を実現する一連の指令が異なる場合でも、情報端末機器２０は、情報端末機器１０に予め登録されていた一連の指令に応じた機能を、自端末機器上で実現することができる。
【００５９】
・情報端末機器２０が、情報端末機器１０に予め登録された一連の指令に応じた機能を実現できない場合には、ユーザはその旨を知ることができる。
【００６０】
（他の実施形態）
・ユーザが、予め登録した機能を実現させる際に、所望する機能と対応付けて登録した人体の一部分を接触させる場所は、画面１１ａの所定領域にしてもよい。所定領域は、運動機能の低下した高齢者であっても押しやすいように、通常のアイコンよりも大きな領域、例えば画面１１ａの半分の領域や４分の１の領域にする。
【００６１】
・画像の遷移速度をユーザが制御できる方が好ましいが、画像の遷移速度をユーザが制御できなくてもよい。
【００６２】
・画像の遷移中に、ユーザが画面１１ａから人体の一部分を離した際には、１つ前の画像に戻らないで、離した際に表示している画像で止めてもよい。
【００６３】
・画像の遷移過程を画面１１ａに表示させることが好ましいが、遷移過程を表示させずに、終了後の画像だけを表示させてもよい。このようにしても、所望の機能を予め登録しておくことで、ユーザは容易に所望の機能を実現させることができる。
【符号の説明】
【００６４】
１０…情報端末機器、１１…タッチパネルディスプレイ、１１ａ…画面、１２…透明電極、１３…制御装置、１４…記憶装置、１５…通信装置。
【図１】
2015115042.tif 000003
【図２】
2015115042.tif 000004
【図３】
2015115042.tif 000005
【図４】
2015115042.tif 000006
【図５】
2015115042.tif 000007